(57)【要約】      （修正有）【課題】分析パネルのターゲットセンター部の基準高さと適切なゴルフクラブの番号を選択し、スイング後ボールの飛行経路、高さ及び角度の練習を図る、一種のゴルフスイング練習装置を提供する。【解決手段】分析パネル１０に二つ以上のターゲットセンター部１２を垂直状態にして、間隔を置き該ターゲットセンター部の中央場所に設ける。各ターゲットセンター部の高さは利用者が選択したゴルフクラブの種類により変化する。前記の構成要素を組み合わせることにより、利用者と該分析パネルとの間に所定のスイング距離を設ける。【選択図】図１
0003129913.tif 000002
【実用新案登録請求の範囲】
【請求項１】
分析パネルとボールを有し、該ボールは該分析パネルに接触したとき、その上に確実付着できる一種のゴルフスイング練習装置において、
該分析パネルは二つ以上のターゲットセンター部を具え、それぞれ垂直状態且つ間隔を置く方式で、該分析パネルの中央部予定場所に設け、該ターゲットセンター部の高さは利用者が選択するゴルフクラブにより設定する、
前記した構成要素の組合せにより、利用者と該分析パネル両者間に所定のスイング練習距離を設け、各該ターゲットセンター部の標準高さと適切なゴルフクラブの番号を選択し、打ち出すボールの高さの練習を行い、ゴルフスイングによるボール経路制御を図る、その安全性が高く、室内練習にも応用できることを特徴とするゴルフスイング練習装置。
【請求項２】
分析パネルとボールを有し、該ボールは該分析パネルに接触したとき、その上に確実付着できる一種のゴルフスイング練習装置において、
該分析パネルは二つ以上ターゲットセンター部を具え、該分析パネルの中央部予定場所に設け、各該ターゲットセンター部の高さ設定は利用者が該分析パネル間との打ち出す距離により変化されることを特徴とするゴルフスイング練習装置。
【請求項３】
該ターゲットセンター部は垂直状態に配列し、両者間の高さ設定は選択されたゴルフクラブに合わせて変化することを特徴とする請求項１又は請求項２記載のゴルフスイング練習装置。
【請求項４】
各該第１、第２ターゲットセンター部の位置設定は、ゴルフクラブの番数が低いほどに低く設け、使用するゴルフクラブの番数が高いほどに高く設けることを特徴とする請求項３記載のゴルフスイング練習装置。
【請求項５】
該分析パネルはさらに、第３ターゲットセンター部を設け、各該第１、第２ターゲットセンター部に垂直して配列し、その高さは利用者が選択するゴルフクラブの種類により変化することを特徴とする請求項４記載のゴルフスイング練習装置。
【請求項６】
各該第１、第２ターゲットセンター部の位置設定は、利用者と該分析パネルとの距離が近いほど低く設け、利用者と該分析パネルとの距離が遠いほど高く設けることを特徴とする請求項３記載のゴルフスイング練習装置。
【請求項７】
該分析パネルはさらに、第３ターゲットセンター部を設け、各該第１、第２ターゲットセンター部に垂直して配列し、その高さは利用者と該分析パネルとの距離により変化することを特徴とする請求項６記載のゴルフスイング練習装置。
【請求項８】
該分析パネルの外縁部に中空状のフレーム部を設け、該分析パネルを該フレーム部の中空場所へ確実に固定することを特徴とする請求項１又は請求項２記載のゴルフスイング練習装置。
【請求項９】
該分析パネルに図案をあらかじめに設けることができることを特徴とする請求項１又は請求項２記載のゴルフスイング練習装置。
【請求項１０】
該分析パネルの表面に付着面を満遍なく設ける、該ボール表面に付着面を設け該付着面へ確実に付着できることを特徴とする請求項１又は請求項２記載のゴルフスイング練習装置。
【考案の詳細な説明】
【技術分野】
【０００１】
本考案は一種の練習装置、特に一種のゴルフスイング練習装置に関わるものである。付着効果を有するパネルとボールを利用し、該パネルにボールの経路と角度方向分析機能を設けることにより、ゴルフスイング練習の実質効果を達成できる。
【背景技術】
【０００２】
ゴルフ運動の普及につれて、レジャーのとき、体を鍛える手段の一つとして、ゴルフプレーを選択する人がますます多くなっている。一方、ボールの打ち方について、グリップ、スイング、パッティングなど基本動作の練習が重要である。よって、ゴルフ練習関係のシミュレーション及び練習装置などの補助器具も次から次へと販売されている。この種の補助器具は練習の目的により、パッティング練習、スイング練習、命中度練習、勾配練習などに分けられる。
【０００３】
公知技術のゴルフ運動用練習装置８０として、図５に示すスイング練習装置は、主に台８１、台８１に固定され回転台を枢設した固定台８２、固定台８２の回転台に設ける多段式連結部材８３より構成する。そのうち、該多段式連結部材８３は回転台に備える固定器８４及び多段式連稈８５を有する。連稈各セクションの直径のアレンジ及び改変により、連稈８５に弾性と強度をもたせる。連稈上のボールは打ち出された後に、真実な運動軌跡を表現し、練習機によるスイング練習の効果を実現する。
【０００４】
もう一種のゴルフ練習器具９０は図６と図７に示す通り、命中度練習の補助装置である。主に、一種のボール類ターゲット標示練習器具を適用し、その特長は、該ターゲット体９１は複数層のプラスチックフィルム又は帆布もしくはその他防水機能の布より構成する矩形のターゲット体を構成し、該ターゲット体は絶縁体により、所要の空間を仕切る。ただし、ターゲットセンター部９２、ターゲット中間部９３ターゲット縁部９４に三区間を設け、色調によりそれぞれ区別することが好ましい。一方、該ターゲット体９１の多層構造は、外部層に表層と底部層、内部に二つの検出回路を備えたライニング層、及び中央部に複数の孔を設ける絶縁海綿体９５を設けるほか、各ターゲット体区間のライニング層にセンサー９６を設けて、ゴルフを各ターゲットエリアに着球し検出する。さらに、該ターゲット体９１の頂部位置に電球取付台９７設け、電球取付台９７の電気回路を各ターゲットエリアのセンサー９６に連結することにより、検出エリアより信号を対応した各電球に伝送し点灯させる。さらに、ターゲット体９１の四つの角に銅金具９８を設け、紐につないで、フェンスネットに縛りつけて、これを目標として、練習者に練習させる。
【考案の開示】
【考案が解決しようとする課題】
【０００５】
上記二つの公知の機構ともスイング練習装置であるが、前者は上スイング練習のとき、ボールを命中することを目的とし、入門者に単なる打ち方を教えるため、ボールが打たれた後の飛行経路又は角度を測定する機能がない。後者の構造は主に、ボールが打たれた後の経路、高さと角度の命中練習であり、高度なスイング練習である。しかしながら、後者の構造は練習まとに精密な電子装置と合わせて使用しなければならない。プロゴルファー使用の練習装置でもあり、高価なもので、入門者の練習には向かない。さらに、ボールはターゲット体に着球した後は、任意に弾くため、室内使用に安全性の問題がある。
【０００６】
前記の問題を解決するため、本考案において一種のゴルフスイング練習装置を提供する。主に、該分析パネルに二つ以上ターゲットセンター部を垂直状態にして、間隔を置いて該ターゲットセンター部の中央場所に設ける。各ターゲットセンター部の高さは利用者が選択したゴルフクラブの種類により変化する。前記の構成要素を組み合わせることにより、利用者と該分析パネルとの間に所定のスイング距離を設ける。各ターゲットセンター部の標準高さに、適切なゴルフクラブの番号を選択し、スイング後ボールの飛び出す高度の把握を練習し、短期間中に、打ち出したボールは分析パネルに付着するため、利用者は短期間中にボールの飛行経路、ボールの分析パネルにおける着球場所を解読し、自分のスイング動作、ボールを打ち出す動作、クラブがボール面に当たる角度は正確かどうかを確認し、より有効な補助矯正を行い、ゴルフスイングのボール飛行経路の練習効果を有する。本考案は構造単純なため、室内又は庭に使用できる。練習場又はゴルフ場に赴くことなく、練習の回数を重ねることができる。さらに、安全性が高く便利性を有し、各年齢層の利用者の練習に適している。
【０００７】
分析パネルのターゲットセンター部の基準高さと適切なゴルフクラブの番号を選択し、スイング後ボールの飛行経路、高さ及び角度の練習を図る、一種のゴルフスイング練習装置を提供することが本考案の主な目的とする。
【０００８】
分析パネルのターゲットセンター部の基準高さと利用者が該分析パネル間のスイング距離を変化させ、スイング後ボールの飛行経路、高さ及び角度の練習を図る、一種のゴルフスイング練習装置を提供することが本考案の次の目的とする。
【０００９】
構造単純、生産コスト低減し、安価なゴルフスイング練習装置を室内練習にも応用できる。打ち出したボールは分析パネルに付着し、弾かない、安全性の高い、一種のゴルフスイング練習装置を提供することが本考案のさらに一つの目的とする。
【課題を解決するための手段】
【００１０】
請求項１の考案は、分析パネルとボールを有し、該ボールは該分析パネルに接触したとき、その上に確実付着できる一種のゴルフスイング練習装置において、
該分析パネルは二つ以上のターゲットセンター部を具え、それぞれ垂直状態且つ間隔を置く方式で、該分析パネルの中央部予定場所に設け、該ターゲットセンター部の高さは利用者が選択するゴルフクラブにより設定する、
前記した構成要素の組合せにより、利用者と該分析パネル両者間に所定のスイング練習距離を設け、各該ターゲットセンター部の標準高さと適切なゴルフクラブの番号を選択し、打ち出すボールの高さの練習を行い、ゴルフスイングによるボール経路制御を図る、その安全性が高く、室内練習にも応用できることを特徴とするゴルフスイング練習装置としている。
請求項２の考案は、分析パネルとボールを有し、該ボールは該分析パネルに接触したとき、その上に確実付着できる一種のゴルフスイング練習装置において、
該分析パネルは二つ以上ターゲットセンター部を具え、該分析パネルの中央部予定場所に設け、各該ターゲットセンター部の高さ設定は利用者が該分析パネル間との打ち出す距離により変化されることを特徴とするゴルフスイング練習装置としている。
請求項３の考案は、該ターゲットセンター部は垂直状態に配列し、両者間の高さ設定は選択されたゴルフクラブに合わせて変化することを特徴とする請求項１又は請求項２記載のゴルフスイング練習装置としている。
請求項４の考案は、各該第１、第２ターゲットセンター部の位置設定は、ゴルフクラブの番数が低いほどに低く設け、使用するゴルフクラブの番数が高いほどに高く設けることを特徴とする請求項３記載のゴルフスイング練習装置としている。
請求項５の考案は、該分析パネルはさらに、第３ターゲットセンター部を設け、各該第１、第２ターゲットセンター部に垂直して配列し、その高さは利用者が選択するゴルフクラブの種類により変化することを特徴とする請求項４記載のゴルフスイング練習装置としている。
請求項６の考案は、各該第１、第２ターゲットセンター部の位置設定は、利用者と該分析パネルとの距離が近いほど低く設け、利用者と該分析パネルとの距離が遠いほど高く設けることを特徴とする請求項３記載のゴルフスイング練習装置としている。
請求項７の考案は、該分析パネルはさらに、第３ターゲットセンター部を設け、各該第１、第２ターゲットセンター部に垂直して配列し、その高さは利用者と該分析パネルとの距離により変化することを特徴とする請求項６記載のゴルフスイング練習装置としている。
請求項８の考案は、該分析パネルの外縁部に中空状のフレーム部を設け、該分析パネルを該フレーム部の中空場所へ確実に固定することを特徴とする請求項１又は請求項２記載のゴルフスイング練習装置としている。
請求項９の考案は、該分析パネルに図案をあらかじめに設けることができることを特徴とする請求項１又は請求項２記載のゴルフスイング練習装置としている。
請求項１０の考案は、該分析パネルの表面に付着面を満遍なく設ける、該ボール表面に付着面を設け該付着面へ確実に付着できることを特徴とする請求項１又は請求項２記載のゴルフスイング練習装置としている。
【考案の効果】
【００１１】
本考案のゴルフスイング練習装置は、互いに付着し合う各該分析パネルとボールにより、スイング法則に従い、該分析パネルにおいて、各該ターゲットセンター部の標準位置を設定した上、正確な打撃距離又はゴルフクラブ種類の選択と合わせて、ボールを打ち出した後の飛行経路又は角度の制御、照準練習を行い、スイング練習の精度を矯正する。構造が単純、生産コスト低い、安全性が高いため、室内連取の利用は特に適し、実用性を有するほか、利便性が高い、大量生産できる。なお、機能と実用性を増強したため、全体的に産業実用性を有し、生産コスト低減の効果がある。
【考案を実施するための最良の形態】
【００１２】
まず、図１から図３を合わせて参照する。本考案のゴルフスイング練習装置は、主に分析パネル１０、及び該分析パネル１０に付着するボール２０より構成する。
【００１３】
該分析パネル１０の表面に粘着面１１を設ける。三つのターゲットセンター部１２は垂直状態にして間隔を置き、該分析パネル１０中央部の所定場所に第１ターゲットセンター部１２１、第２ターゲットセンター部１２２、第３ターゲットセンター部１２３をそれぞれ設ける。各該ターゲットセンター部１２の高さ設定は、利用者が選択するゴルフクラブの番号によって変化する。なお、各該第１、第２、第３ターゲットセンター部１２１、１２２、１２３位置の設定は、ゴルフクラブの番号が低いほどに低く設け、ゴルフクラブの番号が高いほどに高く設ける。中空のフレーム体を該分析パネル１０に取り付けて、その外縁部により、該分析パネル１０を該フレーム１３の中空場所へ確実に固定する。
【００１４】
該ボール２０の表面に付着面２１を設け、該粘着面１１への付着に備える。
【００１５】
前記した構成要素の組合せにより、利用者と該分析パネル１０両者間に所定のスイング練習距離を設け、各該ターゲットセンター部１２の基準高さと適切なゴルフクラブの番号を選択し、打ち出すボールの高さの練習を行い、ゴルフスイングによるボール経路制御を図る。なお、その安全性が高く、室内練習にも応用できる。
【００１６】
本発明の構造と特長、応用技術と予期効果のさらなる理解を図るため、本発明の使用方法を以下のとおり詳細説明する。
【００１７】
スイング練習の前に、まず該分析パネル１０を所定場所に置き、該分析パネル１０の真正面に所定の距離を設けて、該ボール２０の打撃点とする。通常、その距離は２.５ｍｍを設け、スイング練習を開始できる。
【００１８】
スイング練習のとき、該分析パネル１０に向かって打ち出す。５番クラブ使用のとき一番低い第３ターゲットセンター部１２３に向かって打ち出す。７番クラブ使用のとき該第２ターゲットセンター部１２２に向かって打ち出す。９番クラブ使用のとき該第１ターゲットセンター部１２１に向かって打ち出す。ボールは打ち出された後に、該分析パネル１０に接触しその上に付着されるため、付着場所により該ボール２０の飛行経路及び角度を分析し、プレーヤの打撃精度を真実に反映し、打撃姿勢を矯正しながら練習の参考とする。
【００１９】
該分析パネル１０に備えるターゲットセンター部１の位置は、ゴルフクラブの番号に従い設定する。実際の集約と経験法則、打撃速度、及びボールが打ち出される角度などのデータに基づき、プレーヤの打撃のポイントを設定する。これにより、プレーヤの打撃の安定性と精度を確実に測定及び比較できる。このほか、プレーヤはゴルフクラブのフェース、ボールのヒットポイント、プレーヤの姿勢間の微妙関係を実際に体験した上、該分析パネル１０の距離を調節し、問題球の処理練習を行うことができる。さらに、該分析パネル１０の中央部に照準線を設け、照準ときによる視角誤差を有効に矯正できる。
【００２０】
特に、各該分析パネル１０とボール２０とは、互いに付着する構造のため、ボール２０は打撃された後、該分析パネル１０に向かって飛び出し接触したとき、その上に付着し固定され、プレーヤの精度分析に備える。さらに、付着により固定した後、該ボール２０は跳ね返すや弾くことがない。特に室内練習に適し、安全性が高く、装置のそばにある器物の破損を軽減できる。
【００２１】
図３と図４は本考案のもう一つの実施例である。そのうち、各該ターゲットセンター部１２の高さ設定は、プレーヤと該分析パネル１０間のスイング練習距離により変化し調節できる。プレーヤと該分析パネル１０との距離が近いほど、取付高度が低く、プレーヤと該分析パネル１０との距離が遠いほど、取付高度が高くなす。このスイング練習距離の設定は同じく集約と経験法則、打撃速度、及びボールの飛行角度などのデータに基づいて設定する。一例として、ａ打撃点のとき、該第１ターゲットセンター部１２１に、ｂ打撃点のとき、第２ターゲットセンター部１２２に、ｃ打撃点のとき、第３ターゲットセンター部１２３それぞれを目標とする。なお、該分析パネル１０の表面はあらかじめに図案を設けても良い。
【図面の簡単な説明】
【００２２】
【図１】本考案一実施例の立体外観概略図である。
【図２】本考案一実施例の使用態様概略図である。
【図３】本考案もう一つの実施例の立体外観概略図である。
【図４】本考案もう一つの実施例の使用態様概略図である。
【図５】公知技術の構造１立体外観概略図である。
【図６】公知技術の構造２の使用態様概略図である。
【図７】公知技術の構造２の立体分解概略図である。
【符号の説明】
【００２３】
１０  分析パネル
１１  粘着面
１２  ターゲットセンター部
１２１  第１ターゲットセンター部
１２２  第２ターゲットセンター部
１２３  第３ターゲットセンター部
１３  フレーム
２０  ボール
２１  付着面
８０  練習装置
９０  練習器具
８１  台
８２  固定台
８３  連結部材
８４  固定器
８５  連稈
９１  ターゲット体
９２  ターゲットセンター部
９３  ターゲット中間部
９４  ターゲット縁部
９５  絶縁海綿体
９６  センサー
９７  電球取付台
９８  銅金具
【図１】
0003129913.tif 000003
【図２】
0003129913.tif 000004
【図３】
0003129913.tif 000005
【図４】
0003129913.tif 000006
【図５】
0003129913.tif 000007
【図６】
0003129913.tif 000008
【図７】
0003129913.tif 000009